(57)【要約】【課題】前胴部に設置されたスクリューコンベアの後端部が、中折れ時に後胴部において位置ずれするのを抑制できるスクリューコンベアの位置制御機構を提供する。【解決手段】スクリューコンベア３０は、先端部３０ｂが、土圧室２３を形成する隔壁２６の下端部分に、回動変位可能に接合された状態で支持されていると共に、中間部分３０ｃが、スライド支持部１１によって、スライド移動可能な状態で支持されており、且つ、スライド支持部１１によって支持された中間部分３０ｃよりも後方の部分において、横方向に対向して設けられた周面当接部１５ａを備える一対の押え金具１５が、スクリューコンベア３０を挟んだ両側に配置されて、後胴部２２に一体として取り付けられていることにより、スクリューコンベア３０は、押え金具１５が配置された部分において、後胴部２２の横方向中央部に揺動可能に位置決めされている。【選択図】図１
2018150698.tif 000002
【特許請求の範囲】
【請求項１】
前胴部と後胴部とを備える中折れ式の泥土圧シ−ルド掘進機において、前胴部に設けられた土圧室に先端開口部を開口させて設置されたスクリューコンベアの後端部が、中折れ時に後胴部において位置ずれするのを抑制するスクリューコンベアの位置制御機構であって、
前記スクリューコンベアは、先端部が、前記土圧室を形成する隔壁の下端部分に、回動変位可能に接合された状態で支持されていると共に、中間部分が、スライド支持部によって、スライド移動可能な状態で支持されており、
且つ、前記スライド支持部によって支持された部分よりも後方の部分において、横方向に対向して設けられた周面当接部を備える一対の押え金具が、前記スクリューコンベアを挟んだ両側に配置されて、前記後胴部に一体として取り付けられていることにより、前記スクリューコンベアは、前記押え金具が配置された部分において、前記後胴部の横方向中央部に揺動可能に位置決めされているスクリューコンベアの位置制御機構。
【請求項２】
前記後胴部の上下方向中間部分に、作業デッキが設置されており、前記一対の押え金具は、前記作業デッキに固定されて前記スクリューコンベアを挟んだ両側に配置されていることにより、前記後胴部に一体として取り付けられている請求項１記載のスクリューコンベアの位置制御機構。
【請求項３】
前記スライド支持部は、前記後胴部の底部に配置された、固定スライドプレートを上面部に備える基台部と、移動スライドプレートを下面部に備えると共に、上端部に前記スクリューコンベアの中間部分を載置して下方から支持する載置スライド部とを含んで構成されており、前記移動スライドプレートは、前記固定スライドプレートに沿って前後左右に移動できるようになっている請求項１又は２記載のスクリューコンベアの位置制御機構。
【発明の詳細な説明】
【技術分野】
【０００１】
本発明は、スクリューコンベアの位置制御機構に関し、特に、前胴部と後胴部とを備える中折れ式の泥土圧シ−ルド掘進機において、スクリューコンベアの後端部が位置ずれするのを抑制するスクリューコンベアの位置制御機構に関する。
【背景技術】
【０００２】
泥土圧式のシールド掘進機（泥土圧シールド掘進機）は、先端のカッター板（回転カッター）によって掘削した掘削土砂を後方の土圧室に取り込んで充填し、充填した掘削土砂の土圧によって切羽面を安定させると共に、スクリューコンベアを介して土圧室から掘削土砂を排出しながらトンネルの掘進を行ってゆく、公知のシールド掘進機である。また、泥土圧シールド掘進機において、土圧室に取り込まれて充填される掘削土砂は、好ましくは加泥材等が添加混合されて流動化された状態となっており、この状態でトンネルの切羽面をバランス良く押え付けつつ、スクリューコンベアを介して土圧室から連続排出されるようになっている。
【０００３】
一方、近年、シールドトンネルの曲線施工を可能にするシールド掘進機として、中折れ式のシ−ルド掘進機が多用されている。中折れ式のシ−ルド掘進機は、先端部に切羽面を切削する回転カッターを備える、前胴部を構成する円筒形状の前部スキンプレートの後端部分と、内部にセグメントを組み立てるためのエレクタ装置を備える、後胴部を構成する円筒形状の後部スキンプレートの先端部分とを、屈曲可能な重ね合わせ摺動部を介して接合することで、前胴部を後胴部に対して所定の角度で中折れさせて、曲線状に掘進させてゆくことを可能にするシールド掘進機である。
【０００４】
また、泥土圧シールド掘進機を、中折れ式のシ−ルド掘進機とする場合、前胴部の土圧室に先端開口部を開口させて、先端部が隔壁に取り付けられたスクリューコンベアの後端部は、中折れ時に後胴部おいて左右に位置ずれすることから、中折れ時に位置ずれが生じるのを抑制して、スクリューコンベアの後端部が、後胴部に設けられた、作業デッキやエレクタ装置やその他の設備と接触するのを、回避できるようにした中折れ式の泥土圧シールド掘進機が開示されている（例えば、特許文献１参照）。
【先行技術文献】
【特許文献】
【０００５】
【特許文献１】特開平７−１２７３７５号公報
【発明の概要】
【発明が解決しようとする課題】
【０００６】
特許文献１の中折れ式の泥土圧シールド掘進機では、スクリューコンベアを支持するための支持装置と、この支持装置が取り付けられて、取り付けられた支持装置を、スクリューコンベアの変位に追従させながら滑動自在に移動できるようにした追従装置とを、当該泥土圧シールド掘進機に設けると共に、これらの支持装置や追従装置を、後胴部において、エレクタ装置のエレクタリングよりも後方に設置し、これらの支持装置や追従装置によって、スクリューコンベアを、前胴部に対して回動変位可能とすることにより、スクリューコンベアと、作業デッキやエレクタ装置等との接触を回避できるようにしたものであるが、支持装置によって支持されたスクリューコンベアの移動は、機械による操作や、ターンバックル等を用いた手動による操作によって行われるようになっているため、その位置調整が難しく、多くの手間を要していた。
【０００７】
本発明は、多くの手間を要することなく、簡易な構成によって、前胴部の土圧室に先端開口部を開口させて設置されたスクリューコンベアの後端部が、中折れ時に後胴部おいて位置ずれするのを効果的に抑制することのできるスクリューコンベアの位置制御機構を提供することを目的とする。
【課題を解決するための手段】
【０００８】
本発明は、前胴部と後胴部とを備える中折れ式の泥土圧シ−ルド掘進機において、前胴部に設けられた土圧室に先端開口部を開口させて設置されたスクリューコンベアの後端部が、中折れ時に後胴部において位置ずれするのを抑制するスクリューコンベアの位置制御機構であって、前記スクリューコンベアは、先端部が、前記土圧室を形成する隔壁の下端部分に、回動変位可能に接合された状態で支持されていると共に、中間部分が、スライド支持部によって、スライド移動可能な状態で支持されており、且つ、前記スライド支持部によって支持された部分よりも後方の部分において、横方向に対向して設けられた周面当接部を備える一対の押え金具が、前記スクリューコンベアを挟んだ両側に配置されて、前記後胴部に一体として取り付けられていることにより、前記スクリューコンベアは、前記押え金具が配置された部分において、前記後胴部の横方向中央部に揺動可能に位置決めされているスクリューコンベアの位置制御機構を提供することにより、上記目的を達成したものである。
【０００９】
そして、本発明のスクリューコンベアの位置制御機構は、前記後胴部の上下方向中間部分に、作業デッキが設置されており、前記一対の押え金具は、前記作業デッキに固定されて前記スクリューコンベアを挟んだ両側に配置されていることにより、前記後胴部に一体として取り付けられていることが好ましい。
【００１０】
また、本発明のスクリューコンベアの位置制御機構は、前記スライド支持部が、前記後胴部の底部に配置された、固定スライドプレートを上面部に備える基台部と、移動スライドプレートを下面部に備えると共に、上端部に前記スクリューコンベアの中間部分を載置して下方から支持する載置スライド部とを含んで構成されており、前記移動スライドプレートは、前記固定スライドプレートに沿って前後左右に移動できるようになっていることが好ましい。
【発明の効果】
【００１１】
本発明のスクリューコンベアの位置制御機構によれば、多くの手間を要することなく、簡易な構成によって、前胴部の土圧室に先端開口部を開口させて設置されたスクリューコンベアの後端部が、中折れ時に後胴部おいて位置ずれするのを効果的に抑制することができる。
【図面の簡単な説明】
【００１２】
【図１】本発明の好ましい一実施形態に係るスクリューコンベアの位置制御機構が設けられた、中折れ式の泥土圧シ−ルド掘進機の要部略示縦断面図である。
【図２】本発明の好ましい一実施形態に係るスクリューコンベアの位置制御機構が設けられた中折れ式の泥土圧シ−ルド掘進機の、直進時の状態の要部略示平断面図である。
【図３】本発明の好ましい一実施形態に係るスクリューコンベアの位置制御機構が設けられた中折れ式の泥土圧シ−ルド掘進機の、中折れ時の状態の要部略示平断面図である。
【図４】スライド支持部の構成を説明する、図１のＡ−Ａに沿った略示断面図である。
【図５】一対の押え金具の構成を説明する、図１のＢ−Ｂに沿った略示断面図である。
【図６】一対の押え金具の構成を説明する、図５のＣ−Ｃに沿った略示断面図である。
【発明を実施するための形態】
【００１３】
本発明の好ましい一実施形態に係るスクリューコンベアの位置制御機構１０は、図１〜図３に示すように、前胴部２１と後胴部２２とを備える公知の中折れ式の泥土圧シ−ルド掘進機２０に設けられて、前胴部２１に形成された土圧室２３に先端開口部３１を開口させて設置されたスクリューコンベア３０の後端部３０ａが、泥土圧シ−ルド掘進機２０を直進させて施工している状態（図２参照）から、前胴部２１を後胴部２２に対して中折れさせて曲進施工を行なっている状態とした際（図３参照）に、後胴部２２おいて中央部分に配置されていた当該後端部３０ａが、左右方向に過度に位置ずれして、後胴部２１に設けられた作業デッキ２４やエレクタ装置２５やその他の設備と接触することになるのを、効果的に回避できるようにするものである。
【００１４】
本実施形態のスクリューコンベアの位置制御機構１０は、泥土圧シ−ルド掘進機２０の曲進施工に伴って、スクリューコンベア３０が中央部分に配置されるように移動させるための、機械による操作や、ターンバックル等を用いた手動による操作を不要にして、多くの手間を要することなく、簡易な構成によって、スクリューコンベア３０の後端部３０ａが、後胴部２１おいて中折れ時に位置ずれするのを、効果的に抑制する機能を備えている。
【００１５】
そして、本実施形態のスクリューコンベアの位置制御機構１０は、前胴部２１と後胴部２２とを備える中折れ式の泥土圧シ−ルド掘進機２０において、前胴部２１に設けられた土圧室２３に先端開口部３１を開口させて設置されたスクリューコンベア３０の後端部３０ａが、中折れ時に後胴部２２において位置ずれするのを抑制する制御機構であって、図１〜図３に示すように、スクリューコンベア３０は、先端部３０ｂが、土圧室２３を形成する隔壁２６の下端部分に、回動変位可能に接合された状態で支持されていると共に、中間部分３０ｃが、スライド支持部１１によって、スライド移動可能な状態で支持されており、且つ、スライド支持部１１によって支持された部分（中間部分）３０ｃよりも後方の部分において、横方向に対向して設けられた周面当接部１５ａ（図５、図６参照）を備える一対の押え金具１５が、スクリューコンベア３０を挟んだ両側に配置されて、後胴部２２に一体として取り付けられていることにより、スクリューコンベア３０は、押え金具１５が配置された部分において、後胴部２２の横方向中央部に揺動可能に位置決めされている。
【００１６】
また、本実施形態では、後胴部２２の上下方向中間部分に、作業デッキ２４が設置されており、一対の押え金具１５は、作業デッキ２４に固定されて、スクリューコンベア２０を挟んだ両側に配置されていることにより、後胴部２２に一体として取り付けられている。
【００１７】
さらに、本実施形態では、スライド支持部１１は、後胴部２２の底部に配置された、固定スライドプレート１２ａを上面部に備える基台部１２と、移動スライドプレート１３ａを下面部に備えると共に、上端部の載置プレート部１３ｃ（図１、図４参照）にスクリューコンベア３０の中間部分３０ｃを載置して下方から支持する載置スライド部１３とを含んで構成されており、移動スライドプレート１３ａは、固定スライドプレート１２ａに沿って前後左右に移動できるようになっている。
【００１８】
本実施形態では、泥土圧シ−ルド掘進機２０は、中折れ式の公知の構成を備えるシ−ルド掘進機であり、先端のカッター板（図示せず）によって掘削した掘削土砂を、後方の土圧室２３に取り込んで充填し、充填した掘削土砂の土圧によって切羽面を安定させると共に、スクリューコンベア３０を介して土圧室２３から掘削土砂を排出しながら、トンネルを掘進してゆくようになっている。土圧室２３に取り込まれた掘削土砂は、好ましくは加泥材等が添加混合されて流動化された状態となっており、この状態でトンネルの切羽面をバランス良く押え付けることが可能であると共に、スクリューコンベア３０を介して、土圧室２３から、連続して容易に排出されるようになっている。スクリューコンベア３０を介して排出された掘削土砂は、例えばスクリューコンベア１１の後端部３０ａに設けられた開閉可能な土砂排出口３０ｄと接続して取り付けられた、圧送ポンプ（図示せず）に送り出されると共に、この圧送ポンプの作用によって、搬送用の配管を介して、立坑や地上の作業ヤードまで搬送されるようになっている。
【００１９】
また、本実施形態では、中折れ式の泥土圧シ−ルド掘進機２０は、図１に示すように、前胴部２１と後胴部２２とからなる中折れ可能な公知の構成を備えており、前胴部２１と後胴部２２とは、これらの間に介在して、周方向に間隔をおいて設けられた複数の中折れジャッキ２７（図２参照）から、選択された所定のジャッキを伸長することにより、前胴部２１を後胴部２２に対して屈曲させながら、シールド掘進機２０を所定の方向に曲線状に掘進させて行くことができるようになっている（図３参照）。
【００２０】
中折れ式の泥土圧シ−ルド掘進機２０の前胴部２１は、これの外殻部分を構成する円筒形状の前部スキンプレート２１ａを有している。前部スキンプレート２１ａの先端部には、回転カッター（図示せず）が設けられている。回転カッターの後方には、隔壁２６によって仕切られて、土圧室２３が形成されている。前部スキンプレート２１ａの後方には、公知の構成を備える重ね合わせ摺動部２８を介して、後胴部２２の円筒形状の後部スキンプレート２２ａが、屈曲可能に接続している。
【００２１】
中折れ式の泥土圧シ−ルド掘進機２０の後胴部２２は、これの外殻部分を構成する円筒形状の後部スキンプレート２２ａを有している。後胴部２２には、後部スキンプレート２２ａの先端部に、環状支持リング部２９ａ及び支柱部２９ｂ（図４参照）が、一体となって取り付けられている。環状支持リング部２９ａには、複数のシールドジャッキ３５（図１、図４参照）が、周方向に所定の間隔をおいて取り付けられている。シールドジャッキ３５は、ピストン部（図示すせず）を後方に伸長させて、先行して組み立てられたセグメント覆工体４０の先端面に後端押圧部を当接させると共に、ピストン部をさらに伸長させることにより、セグメント覆工体４０から掘進反力を得て、回転カッターによる切羽面の切削に伴って、シールド掘進機２０を前方に押し出すことで、シールド掘進機２０を掘進させることができるようになっている。
【００２２】
また、後胴部２２には、環状支持リング部２９ａに支持させて、これの後方に、セグメント覆工体４０を組み立てるための公知の構成を備えるエレクタ装置２５（図１参照）が取り付けられている。
【００２３】
さらに、本実施形態では、環状支持リング部２９ａに上下の端部を固定して、支柱部２９ｂが、縦方向に延設して好ましくは一対設けられている（図４参照）。これらの支柱部２９ｂに先端部を支持させて、作業デッキ２４が、片持ち梁状に後方に張り出した状態で取り付けられている（図１〜図３参照）。作業デッキ２４は、後部スキンプレート２２ａの中央部分に配置されると共に、シールド掘進機２０の軸方向に延設して、後胴部２２において先行して組み立てられた、セグメント覆工体４０の内部に至る長さで設けられている。
【００２４】
そして、本実施形態のスクリューコンベアの位置制御機構１０では、図１〜図３に示すように、スクリューコンベア３０の先端部３０ｂが、前胴部２１に設けられた隔壁２６の下端部分に、回動変位可能に接合された状態で支持されており、スクリューコンベア３０の中間部分３０ｃが、スライド支持部１１によって、前後左右にスライド移動可能な状態で支持されており、且つスクリューコンベア３０の中間部分３０ｃよりも後方の部分において、横方向に対向して設けられた周面当接部１５ａ（図５、図６参照）を備える一対の押え金具１５が、スクリューコンベア３０を挟んだ両側に配置されて、後胴部２２に一体として取り付けられている。
【００２５】
スクリューコンベア３０は、中空円筒形状の鋼管の内部にスクリュー羽根を有する公知の構成を備える排土装置であり、スクリュー羽根を回転させることにより、掘削土砂を後端部３０ａの土砂排出口３０ｄまで、後方に向けて搬送できるようになっている。本実施形態では、スクリューコンベア３０は、その先端部３０ｂが、公知のユニバーサル管継手等を介して、土圧室２３を仕切る隔壁２６の下端部分に回動変位可能に接合されると共に、先端開口部３１を、土圧室２３に開口させた状態で設置されている（図１参照）。またスクリューコンベア３０は、先端部３０ｂを前胴部２１に設けられた隔壁２６の下端部分に支持さると共に、中間部分３０ｃをスライド支持部１１に支持させて、後胴部２２に設けられた作業デッキ２４に至るまで、斜めに延設した状態で設置されている。
【００２６】
スクリューコンベア３０の中間部分３０ｃを支持するスライド支持部１１は、上述のように、固定スライドプレート１２ａを備える基台部１２と、移動スライドプレート１３ａを備える載置スライド部１３とを含んで構成されている。基台部１２は、図４にも示すように、後胴部２２の後部スキンプレート２２ａの先端部に一体となって取り付けられた、環状支持リング部２９ａの底部内側面に、溶接等により固着された状態で設らけれている。基台部１２は、固定スライドプレート１２ａと、固定スライドプレート１２ａが水平又は略水平な状態で配置されるように下方から支持する支持脚部１２ｂとからなる。
【００２７】
基台部１２の固定スライドプレート１２ａは、例えば４０ｍｍ程度の厚さの鋼製のプレート部材を用いて形成されており、例えば長辺の長さが１１００ｍｍ、短辺の長さが６５０ｍｍ程度の大きさの、矩形状の平面形状を備えている（図２、図３参照）。固定スライドプレート１２ａは、その上面に例えばスリーププレートが塗布されていて、載置スライド部１３に設けられた移動スライドプレート１３ａを、滑り易くする処理がなされている。固定スライドプレート１２ａは、長辺方向を後胴部２２の幅方向に、短辺方向を後胴部２２の軸方向に配置して、支持脚部１２ｂによって下方から強固に支持された状態で、水平又は略水平に延設して、後胴部２２の底部に取り付けられている。
【００２８】
基台部１２の支持脚部１２ｂは、例えば立てた状態で縦横に交差して配置された、１９〜２５ｍｍ程度の厚さの複数の脚部鋼製プレートからなり、これらの脚部鋼製プレートの上端縁部を溶接等により固定スライドプレート１２ａの下面部に固着すると共に、下端縁部を溶接等により環状支持リング部２９ａの底部内側面に固着することによって、固定スライドプレート１２ａを、水平又は略水平に保持した状態で、下方から強固に支持している。本実施形態では、固定スライドプレート１２ａは、これの前胴部２１側の部分を、環状支持リング部２９ａの底部から、前胴部２１側に張り出した状態で設けられている（図１参照）。この前胴部２１側に張り出した部分の固定スライドプレート１２ａを下方から支持するようにして、脚部補強鋼製プレート１２ｃが、上端縁部を支持脚部１２ｂの脚部鋼製プレートの下端縁部に固着すると共に、下端縁部を、環状支持リング部２９ａの前胴部２１側に隣接して後胴部２２の先端部に固定された、外周面が円弧状凸曲面となっているリング状先端部材３６の内周面に、固着した状態で取り付けられている。リング状先端部材３６は、前胴部２１の前部スキンプレート２１ａの後端部の内側に重ねて配置されて、前部スキンプレート２１ａの後端部と共に、屈曲可能な重ね合わせ摺動部２８を形成する部材である。
【００２９】
基台部１２と共にスライド支持部１１を構成する載置スライド部１３は、例えば４０〜５０ｍｍ程度の厚さの鋼製のプレート部材を溶接等により組み付けて形成されており、図１及び図４に示すように、基台部１２の固定スライドプレート１２ａにスライド移動可能に重ねて配置される移動スライドプレート１３ａと、移動スライドプレート１３ａから立設して一体として設けられた立設支持部１３ｂと、立設支持部１３ｂの上端部に一体として取り付けられた載置プレート部１３ｃとからなる。
【００３０】
移動スライドプレート１３ａは、固定スライドプレート１２ａよりも小さな、例えば長辺の長さが５００ｍｍ、短辺の長さが２５０ｍｍ程度の大きさの、矩形状の平面形状を備えている（図２、図３参照）。移動スライドプレート１３ａは、固定スライドプレート１２ａの上面に、当該上面に沿って前後左右にスライド移動可能に重ねて載置されている。
【００３１】
立設支持部１３ｂは、斜めに延設して配置されるスクリューコンベア３０と、同様の傾斜角度で斜めにカットされた上端縁部を有する、４角形の側面形状を備える一対の立設プレートを、後胴部２２の幅方向に間隔をおいて並べて配置することによって形成されている。立設支持部１３ｂは、各々の立設プレートの下端縁部を移動スライドプレート１３ａの上面に溶接等により固着すると共に、斜めにカットされた上端縁部を載置プレート部１３ｃの下面に溶接等により固着することによって、スクリューコンベア３０の中間部分３０ｃが載置される載置プレート部１３ｃを、下方から強固に支持することができるようになっている。
【００３２】
載置プレート部１３ｃは、立設支持部１３ｂの上端縁部が下面側に固着されることにより、立設支持部１３ｂによって下方から支持されると共に、斜めに延設するスクリューコンベア３０と同様の傾斜角度で傾斜して配置されている。載置プレート部１３ｃには、これの上面に、後胴部２２の幅方向に間隔をおいて互いに平行に延設して配置された一対の矩形形状の載置リブ１３ｄが、立設した状態で取り付けられている。一対の載置リブ１３ｄは、その間隔幅が、スクリューコンベア３０の直径よりも小さくなるように配置されていると共に、その上端縁部を、スクリューコンベア３０と同様の傾斜角度で斜めに延設させた状態で取り付けられている。これによって、スクリューコンベア３０の中間部分３０ｃを、一対の載置リブ１３ｄに跨るようにしてこれらの上端縁部に沿って載置させて、載置スライド部１３によって下方から安定した状態で支持させることができるようになっている。
【００３３】
スクリューコンベア３０の、スライド支持部１１によって支持された中間部分３０ｃよりも後方の部分において、スクリューコンベア３０を後胴部２２の横方向中央部に揺動可能に位置決めする一対の押え金具１５は、本実施形態では、上述のように、好ましくは後胴部２２に設けられた作業デッキ２４に固定されて、スクリューコンベア２０を挟んだ両側に配置されている。
【００３４】
すなわち、本実施形態では、作業デッキ２４は、図１、図５、図６に示すように、後胴部２２に設けられた一対の支柱部２９ｂにボルト接合や溶着接合等によって先端部が各々接合固定された（図１参照）、支柱部２９ｂから後方に延設する、好ましくはＩ形鋼からなる一対の張出し梁部３７を備えている。これらの張出し梁部３７の各々のリブプレート３７ａの内側面に接合固定されて、一対の押え金具１５が、スライド支持部１１によって支持されたスクリューコンベア３０の中間部分３０ｃよりも後方において、スクリューコンベア３０と交差する部分の作業デッキ２４に、スクリューコンベア３０を両側から挟み込むようにして、張出し梁部３７から内側に突出して一体として取り付けられている。
【００３５】
一対の押え金具１５は、例えばＨ型鋼等を用いて形成された、鋼製のロッド状の金具となっており、スクリューコンベア３０と交差する部分の作業デッキ２４に、後胴部２２の幅方向である横方向に延設して取り付けられている。一対の押え金具１５は、各々、一端部を作業デッキ２４の張出し梁部３７のリブプレート３７ａの内側面に接合固定すると共に、周面当接部１５ａが設けられた他端部を、スクリューコンベア３０の外径よりも僅かに大きな間隔幅をおいて、横方向に対向配置させた状態で取り付けられている。一対の押え金具１５の周面当接部１５ａは、先端面が、対向する側に凸となって緩やかに湾曲する湾曲凸面となっている。これによって、スクリューコンベア３０を、押え金具１５が配置された部分において、よりスムーズに揺動させることが可能な状態で、後胴部２２の横方向中央部に位置決めすることができるようになっている。
【００３６】
また、本実施形態では、押え金具１５が配置された、作業デッキ２４と交差する部分のスクリューコンベア３０の外周部に、一対の当接プレート部材３８が、一体として取り付けられている（図５、図６参照）。当接プレート部材３８は、各々、平坦な当接面プレート３８ａと、一対の当接面プレート３８ａをスクリューコンベア３０の両側に背向して配置するための、複数の接合リブ３８ｂとを含んで形成されている。複数の接合リブ３８ｂは、円形の断面形状を有するスクリューコンベア３０の外周面の湾曲形状に沿った形状を備える、湾曲する接合縁部を備えている。接合リブ３８ｂの接合縁部をスクリューコンベア３０の外周面に溶接等により接合することによって、一対の当接プレート部材３８の当接面プレート３８ａを、スクリューコンベア３０を挟んだ両側に、一対の押え金具１５の周面当接部１５ａと垂直又は略垂直に対向させて、各々配置することができるようになっている。またこれによって、一対の押え金具１５は、泥土圧シ−ルド掘進機２０を直進させて施工している状態（図２参照）において、スクリューコンベア３０の外周部に取り付けられた当接プレート部材３８の当接面プレート３８ａと、周面当接部１５ａの先端面との間に、１０〜２０ｍｍ程度の僅かな間隔を保持した状態で、配置されるようになっている。
【００３７】
そして、上述の構成を備える本実施形態のスクリューコンベアの位置制御機構１０によれば、多くの手間を要することなく、簡易な構成によって、前胴部２１の土圧室２３に先端開口部３１を開口させて設置されたスクリューコンベア３０の後端部３０ａが、中折れ時に後胴部２２において位置ずれするのを効果的に抑制することが可能になる。
【００３８】
すなわち、本実施形態によれば、スクリューコンベア３０は、先端部３０ｂが、土圧室２３を形成する隔壁２６の下端部分に、回動変位可能に接合された状態で支持されていると共に、中間部分３０ｃが、スライド支持部１１によって、スライド移動可能な状態で支持されており、且つ、スライド支持部１１によって支持された中間部分３０ｃよりも後方の部分において、横方向に対向して設けられた周面当接部１５ａを備える一対の押え金具１５が、スクリューコンベア３０を挟んだ両側に配置されて、後胴部２２に一体として取り付けられていることにより、スクリューコンベア３０は、押え金具１５が配置された部分において、後胴部２２の横方向中央部に揺動可能に位置決めされるようになっている。
【００３９】
したがって、本実施形態によれば、前胴部２１の土圧室２３に先端開口部３１を開口させて設置されたスクリューコンベア３０の後端部３０ａが、泥土圧シ−ルド掘進機２０を直進させて施工している状態（図２参照）から、中折れさせて曲進施工を行なっている状態とした際（図３参照）に、後胴部２２の中央部分に配置されていた当該後端部３０ａが、左右方向に位置ずれしようとしても、前後左右にスライド移動可能なスライド支持部１１によって支持された中間部分３０ｃよりも後方の部分において、スクリューコンベア３０は、押え金具１５によって後胴部２２の横方向中央部に揺動可能に位置決めさているので、このような押え金具１５を設けただけの簡易な構成によって、スライド可能な支持部によって支持されているスクリューコンベア３０を、機械による操作やターンバックル等を用いた手動による操作によって移動させるといった手間の掛かる作業を要することなく、効果的に抑制することが可能になり、これによって、スクリューコンベア３０の後端部３０ａが、後胴部２１に設けられた作業デッキ２４やエレクタ装置２５やその他の設備と接触することになるのを、効果的に回避することが可能になる。
【００４０】
なお、本発明は上記実施形態に限定されることなく種々の変更が可能である。例えば、一対の押え金具は、後胴部に設置された作業デッキに固定されて設けられている必要は必ずしも無く、後胴部のその他の部位に一体として取り付けられていることで、スクリューコンベアを挟んだ両側に配置されていても良い。また、スライド支持部は、固定スライドプレートを上面部に備える基台部と、移動スライドプレートを下面部に備えると共にスクリューコンベアを下方から支持する載置スライド部とを含んで構成されている必要は必ずしも無く、例えば特開平７−１２７３７５号公報に記載されたものと同様の構成を備えるスライド支持部であっても良い。さらに、押え金具が配置された部分のスクリューコンベアの外周部に、当接プレート部材が一体として取り付けられている必要は必ずしも無く、押え金具の周面当接部は、スクリューコンベアの外周部に直接当接させるようにしても良い。
【符号の説明】
【００４１】
１０  スクリューコンベアの位置制御機構
１１  スライド支持部
１２  基台部
１２ａ  固定スライドプレート
１２ｂ  支持脚部
１２ｃ  脚部補強鋼製プレート
１３  載置スライド部
１３ａ  移動スライドプレート
１３ｂ  立設支持部
１３ｃ  載置プレート部
１３ｄ  載置リブ
１５  押え金具
１５ａ  周面当接部
２０  泥土圧シ−ルド掘進機
２１  前胴部
２１ａ  前部スキンプレート
２２  後胴部
２２ａ  後部スキンプレート
２３  土圧室
２４  作業デッキ
２５  エレクタ装置
２６  隔壁
２７  中折れジャッキ
２８  重ね合わせ摺動部
２９ａ  環状支持リング部
２９ｂ  支柱部
３０  スクリューコンベア
３０ａ  後端部
３０ｂ  先端部
３０ｃ  中間部分
３０ｄ  土砂排出口
３１  先端開口部
３５  シールドジャッキ
３６  リング状先端部材
３７  張出し梁部
３７ａ  リブプレート
３８  当接プレート部材
３８ａ  当接面プレート
３８ｂ  接合リブ
４０  セグメント覆工体
【図１】
2018150698.tif 000003
【図２】
2018150698.tif 000004
【図３】
2018150698.tif 000005
【図４】
2018150698.tif 000006
【図５】
2018150698.tif 000007
【図６】
2018150698.tif 000008